(57)【要約】【課題】映像フレームの平均輝度値変化に基づき表示パネルを照明するバックライトの発光量を可変制御する表示装置に接続される記録再生装置を利用することで、バックライト発光量の可変制御に伴う表示映像の劣化を防止すること。【解決手段】傾向検出部（２２）が、図３（Ｃ）に示すように、所定数の映像フレーム毎の平均輝度値の変化が所定時間内に変化前の平均輝度値に戻ることを検出すると、発光量制御情報生成部（２３）は、平均輝度値の変化に拘わらずバックライト発光量を制御しない発光量制御情報を生成する。前記所定数の映像フレームを液晶パネル（１５）に表示する場合、バックライト（１８）の発光量は、当該所定数の映像フレームの平均輝度値の低下に対応して減ることはない。【選択図】図３
2011081084.tif 000002
【特許請求の範囲】
【請求項１】
映像データを記録する記録部と、
前記記録部から読み出した映像データの各映像フレームの平均輝度値を算出する平均輝度値算出部と、
前記平均輝度値算出部が算出した各映像フレームの平均輝度値を当該各映像フレームと対応して前記記録部に記録する記録処理制御部と、
前記平均輝度値算出部が算出した平均輝度値の変化傾向を連続して所定数の映像フレーム毎に検出する傾向検出部と、
更に、前記傾向検出部が検出した所定数の映像フレーム毎の平均輝度値の変化傾向に対応した表示装置のバックライト発光量制御情報を生成し当該所定数の映像フレームの先頭の映像フレームと対応して前記記録部に記録する発光量制御情報生成部を備え、
前記映像データの再生の際、前記映像フレームの供給と共に前記発光量制御情報を表示装置に供給することを特徴とする記録再生装置。
【請求項２】
前記発光量制御情報生成部は、前記所定数の映像フレーム毎の平均輝度値が所定時間の間上がり続け又は下がり続ける場合、平均輝度値の変化に基づきバックライト発光量を増やす又は減らす制御を行う制御情報を生成し、
前記所定数の映像フレーム毎の平均輝度値の変化が所定時間内に変化前の平均輝度値に戻る場合、当該平均輝度値の変化に拘わらずバックライト発光量を制御しない制御情報を生成することを特徴とする請求項１に記載の記録再生装置。
【請求項３】
前記発光量制御情報生成部は、前記所定数の映像フレーム毎の平均輝度値の変化傾向と発光量制御情報とが記録された制御情報テーブルを備え、
前記制御情報テーブルを参照し、前記所定数の映像フレーム毎の平均輝度値の変化傾向に対応した発光量制御情報を生成することを特徴とする請求項１又は２に記載の記録再生装置。
【請求項４】
前記平均輝度値算出部は、前記記録部から読み出した映像データの各映像フレームの平均輝度値及び最大輝度値を算出し、
前記記録処理制御部は、前記平均輝度値算出部が算出した各映像フレームの平均輝度値及び最大輝度値を当該各映像フレームと対応して前記記録部に記録し、
前記傾向検出部は、前記平均輝度値算出部が算出した平均輝度値及び最大輝度値の変化傾向を連続して所定数の映像フレーム毎に検出し、
更に、前記発光量制御情報生成部は、前記傾向検出部が検出した所定数の映像フレーム毎の平均輝度値及び最大輝度値の変化傾向に対応した表示装置のバックライト発光量制御情報を生成し当該所定数の映像フレームの先頭の映像フレームと対応して前記記録部に記録することを特徴とする請求項１〜３の何れかに記載の記録再生装置。
【請求項５】
前記発光量制御情報生成部は、前記所定数の映像フレーム毎の平均輝度値及び最大輝度値の変化傾向と発光量制御情報とが記録された制御情報テーブルを備え、
前記制御情報テーブルを参照し、前記所定数の映像フレーム毎の平均輝度値及び最大輝度値の変化傾向に対応した発光量制御情報を生成することを特徴とする請求項４に記載の記録再生装置。
【請求項６】
請求項１〜５の何れかに記載の記録再生装置を備え、前記記録再生装置から供給されたバックライト発光量制御情報に基づき表示パネルを照明するバックライトの発光量を制御することを特徴とする表示装置。
【発明の詳細な説明】
【技術分野】
【０００１】
本発明は、記録再生装置、表示装置に係り、特に、映像フレームの平均輝度値変化に基づき表示パネルを照明するバックライトの発光量を可変制御する表示装置に接続される記録再生装置、当該記録再生装置を備えた表示装置に関する。
【背景技術】
【０００２】
従来から、映像フレームの平均輝度値（ＡＰＬ：Average Picture Level）の変化に基づき液晶パネルを照明するバックライトの発光量（発光輝度ともいう）を可変制御する液晶表示装置が様々提案されている。
例えば、特許文献１には、コントラストを向上させるため、明るい映像を表示する場合には、バックライトの発光量を上げ、暗い映像を表示する場合には、バックライトの発光量を下げる制御を行う液晶表示装置が開示されている。
【先行技術文献】
【特許文献】
【０００３】
【特許文献１】特開２００９−５８７１８号公報
【発明の概要】
【発明が解決しようとする課題】
【０００４】
上記のような液晶表示装置では、連続する映像フレームの平均輝度値の変化に応じてバックライト発光量が変化するので、連続する映像フレームの平均輝度値が、例えば、短時間で高→低→高と変化（短時間で明暗が変化）する場合、バックライト発光量が短時間で高→低→高と変化する。その結果、このような映像フレームを表示すると、画面がちらついてしまい（表示映像の劣化）、視聴者は違和感を持つ。
【０００５】
また、映像フレーム表示において、映像フレームの平均輝度値変化に遅延することなく当該変化に追随してバックライト発光量を制御することが困難である。このように遅延する理由は、例えば、映像フレームの平均輝度値算出に時間がかかることにある。それ故、映像フレームの平均輝度値変化に遅延してバックライト発光量の制御が行われるので、視聴者は違和感を持つ。特に、前述のように、短時間で明暗が変化する場合、画面のちらつきがより大きくなる。
【０００６】
他にも、映像フレームの平均輝度値だけでなく映像フレーム内の画素の最大輝度値をも参照してバックライト発光量を制御した場合、例えば、暗闇の映像（平均輝度値が低い映像フレーム）を表示中、この映像に突如、点灯（点滅）したライト（平均輝度値は低いが最大輝度値が高い映像フレーム）が表示されると、映像フレームの最大輝度値変化に連動してバックライト発光量が変化するので、急に映像全体が浮き上がったように表示され（表示映像の劣化）、視聴者は違和感を持つ。
【０００７】
ところで、現在では、液晶表示装置に大容量記録装置を備えた記録再生装置がＨＤＭＩ等の様々な接続手段を用いて接続されている。また、このような記録再生装置が搭載された液晶表示装置（一体型の映像表示記録再生装置）が提案されている。そして、視聴者はリアルタイムにテレビ映像を視聴するだけでなく、記録装置に記録した映像（データ）を頻繁に視聴している。
【０００８】
本発明は、かかる実情に鑑みてなされたものであり、映像フレームの平均輝度値変化に基づき表示パネルを照明するバックライトの発光量を可変制御する表示装置に接続される記録再生装置を利用することで、バックライト発光量の可変制御に伴う表示映像の劣化を防止することを目的とする。
【課題を解決するための手段】
【０００９】
第１の技術手段は、映像データを記録する記録部と、前記記録部から読み出した映像データの各映像フレームの平均輝度値を算出する平均輝度値算出部と、前記平均輝度値算出部が算出した各映像フレームの平均輝度値を当該各映像フレームと対応して前記記録部に記録する記録処理制御部と、前記平均輝度値算出部が算出した平均輝度値の変化傾向を連続して所定数の映像フレーム毎に検出する傾向検出部と、更に、前記傾向検出部が検出した所定数の映像フレーム毎の平均輝度値の変化傾向に対応した表示装置のバックライト発光量制御情報を生成し当該所定数の映像フレームの先頭の映像フレームと対応して前記記録部に記録する発光量制御情報生成部を備え、
前記映像データの再生の際、前記映像フレームの供給と共に前記発光量制御情報を表示装置に供給することを特徴とする記録再生装置である。
【００１０】
第２の技術手段は、第１の技術手段において、前記発光量制御情報生成部は、前記所定数の映像フレーム毎の平均輝度値が所定時間の間上がり続け又は下がり続ける場合、平均輝度値の変化に基づきバックライト発光量を増やす又は減らす制御を行う制御情報を生成し、前記所定数の映像フレーム毎の平均輝度値の変化が所定時間内に変化前の平均輝度値に戻る場合、当該平均輝度値の変化に拘わらずバックライト発光量を制御しない制御情報を生成することを特徴とするものである。
【００１１】
第３の技術手段は、第１又は第２の技術手段において、前記発光量制御情報生成部は、前記所定数の映像フレーム毎の平均輝度値の変化傾向と発光量制御情報とが記録された制御情報テーブルを備え、前記制御情報テーブルを参照し、前記所定数の映像フレーム毎の平均輝度値の変化傾向に対応した発光量制御情報を生成することを特徴とするものである。
【００１２】
第４の技術手段は、第１〜第３の何れかの技術手段において、前記平均輝度値算出部は、前記記録部から読み出した映像データの各映像フレームの平均輝度値及び最大輝度値を算出し、前記記録処理制御部は、前記平均輝度値算出部が算出した各映像フレームの平均輝度値及び最大輝度値を当該各映像フレームと対応して前記記録部に記録し、前記傾向検出部は、前記平均輝度値算出部が算出した平均輝度値及び最大輝度値の変化傾向を連続して所定数の映像フレーム毎に検出し、更に、前記発光量制御情報生成部は、前記傾向検出部が検出した所定数の映像フレーム毎の平均輝度値及び最大輝度値の変化傾向に対応した表示装置のバックライト発光量制御情報を生成し当該所定数の映像フレームの先頭の映像フレームと対応して前記記録部に記録することを特徴とするものである。
【００１３】
第５の技術手段は、第４の技術手段において、前記発光量制御情報生成部は、前記所定数の映像フレーム毎の平均輝度値及び最大輝度値の変化傾向と発光量制御情報とが記録された制御情報テーブルを備え、前記制御情報テーブルを参照し、前記所定数の映像フレーム毎の平均輝度値及び最大輝度値の変化傾向に対応した発光量制御情報を生成することを特徴とするものである。
【００１４】
第６の技術手段は、第１〜第５の何れかの技術手段の記録再生装置を備え、前記記録再生装置から供給されたバックライト発光量制御情報に基づき表示パネルを照明するバックライトの発光量を制御することを特徴とする表示装置である。
【発明の効果】
【００１５】
本発明により、映像フレームの平均輝度値変化に基づき表示パネルを照明するバックライトの発光量を可変制御する表示装置に接続される記録再生装置を利用して、連続する映像フレームの平均輝度値変化などの傾向を検出し、この変化傾向に対応するようにバックライト発光量を可変制御するので、表示映像の劣化を防止することができる。それ故、視聴者が映像を見ても違和感を持つことがない。
【図面の簡単な説明】
【００１６】
【図１】本発明に係る記録再生装置を備えた映像表示記録再生装置の機能ブロック図である。
【図２】映像フレーム、平均輝度値の記録処理を説明する図である。
【図３】バックライト発光量の制御について説明する図である。
【図４】発光量制御情報テーブルの一例を示す図である。
【図５】従来のバックライト発光量制御及び本発明のバックライト発光量制御を説明するためのグラフである。
【図６】本発明に係る記録再生装置を備えた映像表示記録再生装置の他の機能ブロック図である。
【図７】バックライト発光量の制御について説明する他の図である。
【図８】発光量制御情報テーブルを示す他の図である。
【図９】従来のバックライト発光量制御及び本発明のバックライト発光量制御を説明するための他のグラフである。
【発明を実施するための形態】
【００１７】
（実施例１）
図１は、本発明に係る記録再生装置を備えた映像表示記録再生装置の機能ブロック図で、映像表示記録再生装置１は、映像表示装置２、記録再生装置３から構成されている。
映像表示装置２は、チューナ１１、デコーダ１２、映像処理部１３、電極駆動制御部１４、液晶パネル（表示パネル）１５、平均輝度値算出部１６、バックライト発光量制御部１７、バックライト１８から構成される。
記録再生装置３は、平均輝度値算出部１６、記録処理制御部１９、記録部２０、再生処理制御部２１、傾向検出部２２、バックライト発光量制御情報生成部（以下、発光量制御情報生成部と記す）２３、テーブル記憶部２４から構成される。なお、平均輝度値算出部１６は、映像表示装置２、記録再生装置３に共通の機能ブロックである。
【００１８】
チューナ１１は、アンテナ（図示せず）で受信されたデジタル放送信号から希望するチャンネルを選局し選局されたチャンネルのデジタル受信信号をデコーダ１２に出力する。
デコーダ１２は、エンコードされているデジタル受信信号をデコードして、映像信号を生成し映像処理部１３に出力する。
【００１９】
映像処理部１３は、デコーダ１２から入力された映像信号に対してγ補正や色補正などの画質補正を施す。そして、映像データを記録（録画）しない場合には、平均輝度値算出部１６、電極駆動制御部１４に出力する。映像データを記録する場合には、記録処理制御部１９に出力する。
【００２０】
電極駆動制御部１４は、映像処理部１３又は再生処理制御部２１から入力された映像データに基づき液晶パネル１５の走査電極及びデータ電極を駆動する。液晶パネル１５は、液晶層と当該液晶層に走査信号及びデータ信号を印加する電極とを有するアクティブマトリクス型の液晶パネルである。なお、液晶パネル以外にも有機ＥＬパネル等を利用することができる。
【００２１】
平均輝度値算出部１６は、映像処理部１３から入力された映像データの映像フレームを抽出し、抽出した映像フレームの平均輝度値を算出する。また、記録部２０から読み出した映像データ２０ａの各映像フレームの平均輝度値を算出する。
【００２２】
映像データを記録しない場合には、算出した平均輝度値をバックライト発光量制御部１７に出力する。バックライト発光量制御部１７は、平均輝度値算出部１６から入力された平均輝度値に基づき、バックライト１８の発光素子の発光量（輝度値）制御を行うバックライト制御信号を生成し、バックライト１８に出力する。バックライト１８の各発光素子は、バックライト発光量制御部１７からの制御信号に対応する光量を発光する。
【００２３】
記録処理制御部１９は、映像処理部１３から入力された映像データ（映像フレーム）を記録部２０に記録する処理を制御する。また、映像データの各映像フレームと、平均輝度値算出部１６が算出した当該各映像フレームの平均輝度値とを対応させて記録する処理を制御する。
【００２４】
記録部２０は、記録処理制御部１９から入力された映像データと、当該映像データの映像フレームの平均輝度値をそれぞれ映像データ２０ａ、輝度データ２０ｂとして記録する。なお、この記録については、図２で詳細に説明する。
【００２５】
また、記録部２０は、発光量制御情報生成部２３が生成したバックライト発光量制御情報（以下、発光量制御情報と記す）２０ｃを記録する。発光量制御情報２０ｃは、記録部２０の映像データを再生する際に、輝度データ２０ｂと共にバックライト発光量制御部１７に出力（供給）され、輝度データ２０ｂ、発光量制御情報２０ｃに基づきバックライト発光量制御が行われる。
【００２６】
再生処理制御部２１は、記録部２０に記録された映像データ２０ａを再生する処理を制御する。ここでは、電極駆動制御部１４に映像データ２０ａを出力し、バックライト発光量制御部１７に輝度データ２０ｂ、発光量制御情報２０ｃを出力する処理を制御する。
【００２７】
傾向検出部２２は、映像データ２０ａの映像フレームの平均輝度値の変化傾向を連続して所定数の映像フレーム毎に検出する。
【００２８】
発光量制御情報生成部２３は、傾向検出部２２が検出した所定数の映像フレーム毎の平均輝度値の変化傾向に対応した、バックライト１８のバックライト発光量を制御する情報を生成し当該所定数の映像フレームの先頭の映像フレームと対応して記録部２０に記録する。
【００２９】
以下に、平均輝度値の変化傾向の検出、発光量制御情報の生成、及び、当該発光量制御情報に基づくバックライト制御について詳細に説明する。
（平均輝度値の変化傾向の検出）
傾向検出部２２が、映像フレームの平均輝度値の変化傾向を連続して所定数の映像フレーム毎に検出する前に、映像処理部１３から入力された映像データの映像フレームと、平均輝度値算出部１６が算出した当該映像フレームの平均輝度値とを対応させて記録しているものとする。
【００３０】
図２は、上記の記録処理を説明する図である。図示のように、記録部２０の映像データ２０ａの映像フレーム（ｆ１〜ｆｎ）に対応して、映像フレーム（ｆ１〜ｆｎ）の平均輝度値（Ａ１〜Ａｎ）が記録される。
【００３１】
図３は、平均輝度値の変化傾向について説明する図である。
図３（Ａ）は、図２に示したように、映像フレームと当該映像フレームの平均輝度値とが対応付けられて記録されている様子を模式的に示す図である。説明のため、連続する映像フレームにおいて、所定数の映像フレームである映像フレームｆａ１〜映像フレームｆａｎをグループＡに属する映像フレームとして、同映像フレームｆｂ１〜映像フレームｆｂｎをグループＢに属する映像フレームとしている。なお、グループに属する映像フレーム数（所定数）は任意に定めることができる。
【００３２】
図３（Ｂ）、図３（Ｃ）は、グループＡにおける連続する映像フレームの平均輝度値の変化傾向を例示する図で、縦軸は輝度値、横軸は時間を示す。
【００３３】
傾向検出部２２は、平均輝度値の変化傾向を連続して所定数の映像フレーム毎に検出するが、ここでは、この所定数の映像フレームはグループＡの映像フレームｆａ１〜映像フレームｆａｎとする。傾向検出部２２は、変化傾向の検出対象となるグループＡにおける隣接する映像フレームの平均輝度値の差分情報などから、連続する映像フレームの平均輝度値の変化傾向を検出する。
【００３４】
（発光量制御情報の生成）
傾向検出部２２が、図３（Ｂ）に示すように、所定数の映像フレーム毎の平均輝度値が所定時間の間、下がり続けることを検出すると、発光量制御情報生成部２３は、平均輝度値の変化に基づきバックライト発光量を減らす制御を行う発光量制御情報を生成する。なお、所定数の映像フレーム毎の平均輝度値が所定時間の間、上がり続ける場合、平均輝度値の変化に基づきバックライト発光量を増やす制御を行う発光量制御情報を生成する。
【００３５】
また、傾向検出部２２が、図３（Ｃ）に示すように、所定数の映像フレーム毎の平均輝度値の変化が所定時間内に変化前の平均輝度値に戻ることを検出すると、発光量制御情報生成部２３は、平均輝度値の変化に拘わらずバックライト発光量を制御しない発光量制御情報を生成する。なお、前記所定時間は任意に定めることができる。
【００３６】
具体的には、発光量制御情報生成部２３は、テーブル記憶部２４に記憶されている発光量制御情報テーブル２４ａを参照しながら発光量制御情報を生成する。
図４は、発光量制御情報テーブル２４ａの一例を示す図である。
初期条件欄には、変化傾向の検出対象となる連続する映像フレームにおける先頭フレームの平均輝度値が所定輝度値以上か否かを検出する処理を実行するために必要となる初期条件が記録されている。
図４では、初期条件欄の上段に平均輝度値＝高が記録され、同下段に平均輝度値＝低が記録されている。
傾向番号欄には、変化傾向の番号がテーブル上部から順に記録される。
【００３７】
平均輝度値変化傾向欄は、連続する映像フレームの平均輝度値の変化傾向の種類（パターン）が記録される。例えば、傾向１の場合、連続する映像フレームの平均輝度値が時間経過と共に下がり、この輝度値変化がしばらく（第１所定時間）継続するとする変化傾向が記録されている。なお、第１所定時間は任意に定めることができる。
【００３８】
バックライト発光量制御情報欄は、平均輝度値変化傾向欄の変化傾向に対応したバックライトの発光量制御情報が記録される。傾向１の例では、連続する映像フレームの平均輝度値が時間経過と共に下がるのに伴いバックライト発光量を減らす制御を行うことが記録されている。
【００３９】
なお、テーブルの各欄に記録された情報を追加・削除してもよい。
【００４０】
発光量制御情報生成部２３は、図４の発光量制御情報テーブルの平均輝度値変化傾向欄に記録された８種類の平均輝度値変化傾向の中から、検出した平均輝度値の変化傾向に対応する平均輝度値変化傾向を抽出する。さらに、図４のテーブルのバックライト発光量制御情報欄に記録された発光量制御情報の中からこの平均輝度値変化傾向に対応する発光量制御情報を抽出（生成）し、この発光量制御情報をグループＡの先頭映像フレームｆａ１に対応付けて発光量制御情報２０ｃとして記録する。
【００４１】
図３（Ｂ）に示すように、グループＡにおける連続する映像フレームの平均輝度値が変化するとする。このとき、傾向検出部２２は、グループＡにおける先頭映像フレームｆａ１の平均輝度値が所定輝度値Ｔｈ以上（図４の初期条件欄参照）か否かを検出する。この場合、所定輝度値Ｔｈ以上である。次いで、グループＡにおける映像フレームの平均輝度値が時間経過と共に下がり、この輝度値変化がしばらく継続することを検出する。
【００４２】
この輝度値変化傾向は、図４のテーブルの初期条件欄に記録された“平均輝度値＝高”、同平均輝度値変化傾向欄に記録された“下がる→しばらく継続”（傾向１）であるので、発光量制御情報生成部２３は、同発光量制御情報欄に記録された発光量制御情報の中からこの平均輝度値変化傾向に対応する発光量制御情報である、バックライト発光量を“減らす”を抽出する。そして、この輝度値変化に対応してバックライト発光量を減らす制御を行う情報を含む発光量制御情報を生成し、記録部２０に記録する。
【００４３】
図３（Ｃ）に示すように、グループＡにおける連続する映像フレームの平均輝度値が変化する場合、傾向検出部２２は、グループＡにおける先頭映像フレームｆａ１の平均輝度値が所定輝度値Ｔｈ以上か否かを検出する。この場合、所定輝度値Ｔｈ以上である。次いで、グループＡにおける映像フレームの平均輝度値が下がりその後すぐに（第２所定時間）上がることを検出する（平均輝度値の変化が所定時間内に変化前の平均輝度値に戻る）。なお、第２所定時間は任意に定めることができる。
【００４４】
この輝度値変化傾向は、図４のテーブルの初期条件欄に記録された“平均輝度値＝高”、同平均輝度値変化傾向欄に記録された“下がる→すぐに上がる” （傾向２）であるので、発光量制御情報生成部２３は、同発光量制御情報欄に記録された発光量制御情報の中からこの平均輝度値変化傾向に対応する発光量制御情報である、バックライト発光量を“減らさない”を抽出する。
【００４５】
このように、映像フレームの平均輝度値が下がりすぐに上がる場合、映像フレームの平均輝度値の低下に対応してバックライト発光量を減らす制御を行わない情報を含む発光量制御情報を生成し、記録部２０に記録する。
【００４６】
上記の発光量制御情報の生成、記録処理を、グループＡの次のグループＢに属する映像フレームｆｂ１〜映像フレームｆｂｎ、更には、映像データ２０ａの全映像フレームに対しても実行する。
【００４７】
（発光量制御情報に基づくバックライト制御処理）
その後、記録部２０の映像データ２０ａを再生する指示を、リモコン等を介して視聴者から受け付けると、再生処理制御部２１は、電極駆動制御部１４に映像データ２０ａを出力すると共に、映像データ２０ａの映像フレームの平均輝度値（輝度データ２０ｂ）、発光量制御情報２０ｃをバックライト発光量制御部１７に出力する。バックライト発光量制御部１７は、再生処理制御部２１から入力された輝度データ２０ｂ及び発光量制御情報２０ｃに基づき、バックライト１８の発光量を制御する。すなわち、映像データの映像フレームに対応して記録されている平均輝度値及び発光量制御情報に基づき、バックライト１８の発光量を制御する。
【００４８】
図３（Ｂ）で説明した、グループＡにおける映像フレームｆａ１〜映像フレームｆａｎを液晶パネル１５に表示する場合、バックライト１８の発光量は、前述のように、輝度値変化に対応して減ることになる。また、図３（Ｃ）で説明した、グループＡにおける映像フレームｆａ１〜映像フレームｆａｎを液晶パネル１５に表示する場合、バックライト１８の発光量は、前述のように、映像フレームの平均輝度値の低下に対応して減ることはない。
【００４９】
このように既に記録されている映像フレームの平均輝度値に基づきバックライトの発光量を制御するので、映像表示の際に、映像フレームの平均輝度値をリアルタイムで算出する必要がない。それ故、映像フレームの平均輝度値変化に的確に追随してバックライト発光量を制御することができる。
また、映像フレームの平均輝度値変化を先読みしてバックライトの発光量制御を行うので、画面のちらつきの発生を抑えることができる。
【００５０】
図５（Ａ）、図５（Ｂ）は、従来のバックライト発光量制御及び本発明のバックライト発光量制御を説明するためのグラフで、縦軸はバックライト発光量（輝度値）、及び、映像フレームの輝度値を示し、横軸は時間を示す。
【００５１】
図５（Ａ）、図５（Ｂ）の破線は映像フレームの平均輝度値の変化を示し、一点鎖線は従来のバックライト発光量制御によるバックライト発光量の変化を示し、太線は本発明の発光量制御によるバックライト発光量の変化を示す。
【００５２】
従来のバックライト発光量制御（一点鎖線参照）によれば、符号Ｐ１で示すように、映像フレームの平均輝度値変化（破線参照）に的確に追随してバックライト発光量を制御（下げる）することができない。なお、映像フレームの平均輝度値が所定値以下になって初めてバックライト発光量制御を行う場合も同様である。
しかし、本発明のバックライト発光量制御（太線参照）によれば、符号Ｐ２で示すように、映像フレームの平均輝度値変化に的確に追随してバックライト発光量を変化させることができる。
【００５３】
また、図５（Ａ）の符号Ｐ３で示すように、映像フレームの平均輝度値が上がるがその後すぐに下がる場合、本発明のバックライト発光量制御によれば、この映像フレームの平均輝度値変化に追随させてバックライト発光量を増やす制御を行わないので（図４の傾向６参照）、表示映像（画面）がちらつくことがない。
【００５４】
他にも、図５（Ｂ）の符号Ｐ４で示すように、映像フレームの平均輝度値が下がりその後上がる場合にも、この映像フレームの輝度値変化に追随させてバックライト発光量を制御する。短時間でこの映像フレームの平均輝度値が変化する（平均輝度値が下がりその後すぐに上がる）場合には、前述のように、図５（Ｂ）の符号Ｐ５の点線で示すように、この映像フレームの平均輝度値変化に追随させてバックライト発光量を増やす制御を行わない（図４の傾向２参照）。
【００５５】
なお、本発明による効果を分かりやすく説明するため、従来のバックライト発光量制御及び本発明の発光量制御の様子を直線グラフで説明したが、映像フレームの平均輝度値に対応して、より細かなバックライト発光量の制御を行うことが可能であることは言うまでもない。
【００５６】
（実施例２）
実施例１では、映像フレームの平均輝度値の変化傾向のみを用いてバックライトの発光量制御情報を生成したが、実施例２では、映像フレームの平均輝度値に加えて最大輝度値をも用いてバックライトの発光量制御情報を生成する記録再生装置を説明する。ここで、最大輝度値とは、映像フレーム内画素の輝度値の中で一番高い輝度値を意味する。
【００５７】
図６は、実施例２の記録再生装置を備えた映像表示記録再生装置の機能ブロック図で、映像表示記録再生装置１’は、映像表示装置２’、記録再生装置３’とから構成されている。
映像表示装置２’は、チューナ１１、デコーダ１２、映像処理部１３、電極駆動制御部１４、液晶パネル１５、バックライト１８は、図１の同符号の機能ブロックと同一の機能を有するのでその説明は省略する。
【００５８】
平均輝度値算出部１６’は、映像処理部１３から入力された映像データの映像フレームを抽出し、抽出した映像フレームの平均輝度値、最大輝度値を算出する。また、記録部２０から読み出した映像データ２０ａの各映像フレームの平均輝度値、最大輝度値を算出する。
【００５９】
映像データを記録しない場合には、算出した平均輝度値、最大輝度値をバックライト発光量制御部１７’に出力する。バックライト発光量制御部１７’は、平均輝度値算出部１６から入力された平均輝度値変化、最大輝度値に基づき、バックライト１８の発光素子の発光量制御を行うバックライト制御信号を生成し、バックライト１８に出力する。
【００６０】
記録処理制御部１９’は、映像処理部１３から入力された映像データを記録部２０に記録する処理を制御する。また、図２で説明したように、映像データの各映像フレームと、平均輝度値算出部１６が算出した当該映像フレームの平均輝度値、最大輝度値とを対応させて記録する処理を制御する。両輝度値は、発光量制御情報２０ｃ’として記録部２０に記録される。
記録部２０には、発光量制御情報生成部２３’が生成した発光量制御情報２０ｃ’が記録される。
【００６１】
再生処理制御部２１’は、記録部２０に記録された映像データ２０ａを再生する処理を制御する。ここでは、電極駆動制御部１４に映像データ２０ａを出力し、バックライト発光量制御部１７に輝度データ２０ｂ’、発光量制御情報２０ｃ’を出力する処理を制御する。
【００６２】
傾向検出部２２’は、映像データ２０ａの映像フレームの平均輝度値、最大輝度値の変化傾向を連続して所定数の映像フレーム毎に検出する。
【００６３】
発光量制御情報生成部２３’は、傾向検出部２２が検出した所定数の映像フレーム毎の平均輝度値、最大輝度値の変化傾向に対応した、バックライト１８のバックライト発光量を制御する情報を生成し当該所定数の映像フレームの先頭の映像フレームと対応して記録部２０に記録する。具体的には、前述のように、テーブル記憶部２４’に記憶されている発光量制御情報テーブル２４ａ’を参照して、記録部２０の輝度データ２０ｂ’から発光量制御情報を生成し、記録部２０に出力する。
【００６４】
以下に、平均輝度値、最大輝度値の変化傾向の検出、発光量制御情報の生成、及び、当該発光量制御情報に基づくバックライト制御について詳細に説明する。
（平均輝度値、最大輝度値の変化傾向の検出）
傾向検出部２２’が、映像フレームの平均輝度値、最大輝度値の変化傾向を連続して所定数の映像フレーム毎に検出する前に、前述のように、映像処理部１３から入力された映像データの映像フレームと、平均輝度値算出部１６’が算出した当該映像フレームの平均輝度値、最大輝度値とを対応させて記録しているものとする。
【００６５】
図７は、図３で説明したグループＡにおける連続する映像フレームの平均輝度値、最大輝度値の変化の様子を示す図で、縦軸は輝度値、横軸は時間を示す。
【００６６】
傾向検出部２２’は、平均輝度値、最大輝度値の変化傾向を連続して所定数の映像フレーム毎に検出するが、ここでは、この所定数の映像フレームはグループＡの映像フレームｆａ１〜映像フレームｆａｎとする。傾向検出部２２’は、グループＡにおける各映像フレームの平均輝度値を検出し、隣接する映像フレームの平均輝度値の差分情報などから、連続する映像フレームの平均輝度値の変化傾向を検出する。同じく、グループＡにおける各映像フレームの最大輝度値を検出し、隣接する映像フレームの最大輝度値の差分情報などから、連続する映像フレームの最大輝度値の変化傾向を検出する。
【００６７】
（発光量制御情報の生成）
傾向検出部２２’が、図７に示すように、所定数の映像フレーム毎の平均輝度値が所定時間の間、下がり続けることを検出し、さらに、所定数の映像フレーム毎の最大輝度値の変化が所定時間内に変化前の最大輝度値に戻ることを検出すると、発光量制御情報生成部２３’は、最大輝度値の変化に拘わらずバックライト発光量を制御しない制御情報を生成する。なお、前記所定時間は任意に定めることができる。
【００６８】
具体的には、発光量制御情報生成部２３は、テーブル記憶部２４に記憶されている発光量制御情報テーブル２４ａ’を参照しながら発光量制御情報を生成する。
図８は、発光量制御情報テーブル２４ａ’の一例を示す図であり、図４の発光量制御情報テーブル２４ａに最大輝度値変化傾向欄を追加し、初期条件欄、バックライト発光量制御情報欄の内容を変更したものである。
【００６９】
初期条件欄には、図４の初期条件欄の記録内容に加え、連続する映像フレームにおける先頭フレームの最大輝度値が所定輝度値以上か否かを検出する処理を実行するために必要となる初期条件が記録されている。
傾向番号欄、平均輝度値変化傾向欄については、図４で説明したので、その説明を省略する。
【００７０】
最大輝度値変化傾向欄は、連続する映像フレームの最大輝度値の変化傾向の種類が記録される。例えば、傾向１の場合、連続する映像フレームの平均輝度値、最大輝度値が時間経過と共に下がり、この輝度値変化がしばらく継続するとする変化傾向が記録されている。
【００７１】
図７に示すように、グループＡにおける連続する映像フレームの平均輝度値、最大輝度値が変化する場合、傾向検出部２２’は、グループＡにおける先頭映像フレームｆａ１の平均輝度値、最大輝度値が所定輝度値Ｔｈ以上（図８の初期条件欄参照）か否かを検出する。この場合、所定輝度値Ｔｈ以上である。次いで、グループＡにおける映像フレームの平均輝度値が時間経過と共に下がり、この輝度値変化がしばらく継続することを検出する。また、グループＡにおける映像フレームの最大輝度値が下がりその後すぐに上がることを検出する（最大輝度値の変化が所定時間内に変化前の最大輝度値に戻る）。
【００７２】
この輝度値変化傾向は、図８のテーブルの初期条件欄に記録された“平均輝度値＝高”，“最大輝度値＝高”、同平均輝度値変化傾向欄に記録された“下がる→しばらく継続”、同最大輝度値変化傾向欄に記録された“下がる→すぐに上がる”（傾向４）であるので、同発光量制御情報欄に記録された発光量制御情報の中からこの平均輝度値、最大輝度値変化傾向に対応する発光量制御情報である、バックライト発光量を“減らさない”を抽出する。
【００７３】
このように、映像フレームの最大輝度値が下がりすぐに上がる場合、映像フレームの最大輝度値の低下に対応してバックライト発光量を減らす制御を行わない情報を含む発光量制御情報を生成し、記録部２０に記録する。
上記の発光量制御情報の生成、記録処理を、映像データ２０ａの全映像フレームに対して実行する。
【００７４】
（発光量制御情報に基づくバックライト制御処理）
その後、記録部２０の映像データ２０ａを再生する指示を、リモコン等を介してユーザから受け付けると、再生処理制御部２１’は、電極駆動制御部１４に映像データ２０ａを出力すると共に、映像データ２０ａの映像フレームの平均輝度値、最大輝度値（輝度データ２０ｂ）、発光量制御情報２０ｃ’をバックライト発光量制御部１７’に出力する。以後の処理については、実施例１で説明したので省略する。
【００７５】
図９は、従来のバックライト発光量制御及び本発明のバックライト発光量制御を説明するためのグラフで、縦軸はバックライト発光量、及び、映像フレームの平均輝度値、最大輝度値を示し、横軸は時間を示す。
【００７６】
図９の破線は映像フレームの平均輝度値の変化を示し、実線は映像フレームの最大輝度値の変化を示し、一点鎖線は従来のバックライト発光量制御によるバックライト発光量の変化を示し、太線は本発明の発光量制御によるバックライト発光量の変化を示す。
【００７７】
符号Ｐ９１に示すように、映像フレームの平均輝度値は徐々に下がり、以後、略一定になる。これに対して、符号Ｐ９２に示すように、映像フレームの最大輝度値は一度大きく下がるがその後すぐに上がり、以後、略一定になる。この最大輝度値の変化は短時間で行われるとする。
【００７８】
このような場合に、従来のバックライト発光量制御（一点鎖線参照）によれば、符号Ｐ９３に示すように、映像フレームの最大輝度値変化に対応してバックライト発光量制御を行うので、画面がちらついてしまう。また、バックライト発光量を下げたまま一定に保つと、最大輝度値部分の映像がくすんでしまう。
しかし、本発明のバックライト発光量制御（太線）によれば、符号Ｐ９４で示すように、この映像フレームの最大輝度値変化に対応してバックライト発光量制御を行わないので、画面がちらつくことはない。
【００７９】
以上説明したように、本発明のバックライト発光量制御によれば、平均輝度値、最大輝度値の変化開始タイミングにあわせてバックライト発光量の変化開始タイミングを決定し、平均輝度値、最大輝度値の変化速度にあわせてバックライト発光量の変化速度を決定できる。
【００８０】
（その他）
実施例１、２で説明した本発明の記録再生装置は、映像表示装置と一体に構成されているが両者を別々にして、ネットワークや接続コードを利用して接続してもよい。記録部２０は、フラッシュメモリ、ＨＤＤ等の記録装置、ＤＶＤ等のメディアを利用した記録装置でもよい。平均輝度値算出部１６，１６’における平均輝度値（最大輝度値）算出処理の実行タイミング、発光量制御情報生成部２３，２３’における発光量制御情報生成処理の実行タイミングは特に限定されず、例えば、記録再生装置を使用していないときに実行してもよい。
【００８１】
図３で説明したように、平均輝度値変化傾向の検出は、同一グループ（図３のグループＡ）の連続する映像フレームに対して行われたが、当該グループ及び該グループの次グループ（図３のグループＢ）の連続する映像フレームに対してまとめて実行してもよい。なお、最大輝度値変化傾向の場合も同様である。
【００８２】
図４（図８）の初期条件欄では、１種類の所定輝度値を記載したが複数種類の所定輝度値を記録してもよい。
【符号の説明】
【００８３】
１，１’…映像表示記録再生装置、２，２’…映像表示装置、３，３’…記録再生装置、１１…チューナ、１２…デコーダ、１３…映像処理部、１４…電極駆動制御部、１５…液晶パネル、１６…平均輝度値算出部、１７，１７’…バックライト発光量制御部、１８…バックライト、１９，１９’…記録処理制御部、２０，２０’…記録部、２０ａ…映像データ、２０ｂ，２０ｂ’…輝度データ、２０ｃ，２０ｃ’…発光量制御情報、２１，２１’…再生処理制御部、２２，２２’…傾向検出部、２３，２３’…発光量制御情報生成部、２４，２４’…テーブル記憶部、２４ａ，２４ａ’…発光量制御情報テーブル。
【図１】
2011081084.tif 000003
【図２】
2011081084.tif 000004
【図３】
2011081084.tif 000005
【図４】
2011081084.tif 000006
【図５】
2011081084.tif 000007
【図６】
2011081084.tif 000008
【図７】
2011081084.tif 000009
【図８】
2011081084.tif 000010
【図９】
2011081084.tif 000011